(57)【要約】【課題】携帯電話機などの無線端末のメモリ容量に影響を受けずにデータを保存することができるデータ管理システム、無線端末、および基地局装置を提供すること。【解決手段】無線端末９と、無線端末９から送信されたデータを受信して保存する基地局装置１０と、基地局装置１０からデータを取得する管理サーバ２０とを備え、無線端末９が、データを受け取るためのアドレスを指定して基地局装置１０を介して管理サーバ２０に通知し、基地局装置１０が、データの保存を完了した後、管理サーバ２０が、無線端末９が指定するアドレスにデータを転送するよう構成する。【選択図】図１
2011090360.tif 000002
【特許請求の範囲】
【請求項１】
無線端末と、
前記無線端末から送信されたデータを受信して保存する基地局装置と、
前記基地局装置からデータを取得する管理サーバとを備え、
前記無線端末が、前記データを受け取るためのアドレスを指定して前記基地局装置を介して前記管理サーバに通知し、
前記基地局装置が、前記データの保存を完了した後、前記管理サーバが、前記無線端末が指定するアドレスにデータを転送することを特徴とするデータ管理システム。
【請求項２】
前記基地局装置は複数あって、
前記無線端末と通信する前記基地局装置のそれぞれは、前記無線端末からデータを受信して保存し、
前記管理サーバは、前記データがそれぞれ保存されている前記基地局装置からデータを取得して編集し、編集したデータを前記無線端末が指定するアドレスにデータを転送することを特徴とする請求項１に記載のデータ管理システム。
【請求項３】
前記基地局装置は、データが途中で保存できなくなった場合、他の前記基地局装置に切り替えるよう前記無線端末に指示し、前記無線端末は、切り替え先の前記基地局装置にデータを保存させることを特徴とする請求項１または請求項２に記載のデータ管理システム。
【請求項４】
基地局装置と通信する無線通信部と、
前記基地局装置にデータを保存させると共に、前記データを受け取るためのアドレスを指定して通知する情報処理部と、
を備えたことを特徴とする無線端末。
【請求項５】
無線端末からデータを受信して保存するメモリと、
前記メモリに保存されたデータを管理サーバの要求に応じて前記管理サーバに送信する通信部と、を備えたことを特徴とする基地局装置。
【発明の詳細な説明】
【技術分野】
【０００１】
本発明は、ネットワークを介在してデータを管理するデータ管理システム、無線端末、および基地局装置に関する。
【背景技術】
【０００２】
近年、ほとんどの携帯電話機にはカメラが実装されており、旅行先などで荷物となるホームビデオカメラを持ち歩くことなく写真や動画の撮影が可能となっている。通常、携帯端末などの撮影機器にて撮影して得られた動画データは、撮影機器内のメモリで許される容量の範囲内で動画データの保存が可能である。
【０００３】
容量の範囲を超えて、長時間の映像を撮影するときには、大容量の記憶装置を持つホームビデオカメラを使用することになるが、荷物となるためあまり持ちたくない。大容量の記憶装置を持っていない撮影機器は、メモリカードを交換するなどの対策が必要である。メモリカードを交換する以外の措置として次に示す。
【０００４】
テレビ電話機能を持たない携帯端末にて長時間の映像を撮影する場合、撮影機器により撮影された動画をメールにより分割して他の端末に配信するものが知られている（特許文献１）。
【０００５】
また、動画を撮影することが可能な携帯端末を監視カメラの代わりとして使用し、予め設定された時間内にのみ撮影した動画をメールにより他の端末に送信するシステムが考案されている（特許文献２）。
【先行技術文献】
【特許文献】
【０００６】
【特許文献１】特開２００５−１７３８９０号公報
【特許文献２】特開２００４−１４６９９８号公報
【発明の概要】
【発明が解決しようとする課題】
【０００７】
しかしながら、特許文献１では、自携帯端末、相手携帯端末のメモリの許す範囲で動画の配信（保存）が可能であるが、メモリが足りなくなった場合には、蓄積された動画データが廃棄される恐れがある。また、特許文献２では、撮影して得られた動画データを保存する他の端末のメモリ容量がなかった場合も、その動画データの補償はない。
【０００８】
そこで、本発明は、携帯電話機などの無線端末のメモリ容量に影響を受けずにデータを保存でき、データの損傷をなくすことができるデータ管理システム、無線端末、および基地局装置を提供することを目的とする。
【課題を解決するための手段】
【０００９】
本発明のデータ管理システムは、無線端末と、前記無線端末から送信されたデータを受信して保存する基地局装置と、前記基地局装置からデータを取得する管理サーバとを備え、前記無線端末が、前記データを受け取るためのアドレスを指定して前記基地局装置を介して前記管理サーバに通知し、前記基地局装置が、前記データの保存を完了した後、前記管理サーバが、前記無線端末が指定するアドレスにデータを転送する構成を有している。
【００１０】
この構成により、基地局装置が無線端末から送信されたデータを受信して保存して指定したところに転送されるため、携帯電話機などの無線端末のメモリ容量に影響を受けずにデータを保存でき、データの損傷をなくすことができる。
【００１１】
また、本発明のデータ管理システムは、前記基地局装置が複数あって、前記無線端末と通信する前記基地局装置のそれぞれは、前記無線端末からデータを受信して保存し、前記管理サーバは、前記データがそれぞれ保存されている前記基地局装置からデータを取得して編集し、編集したデータを前記無線端末が指定するアドレスにデータを転送する構成を有している。
【００１２】
この構成により、基地局間でデータの保存を分配する機能をもつことで、１基地局あたりが保有するメモリ容量の負担を低減することが可能である。
【００１３】
また、本発明のデータ管理システムは、基地局装置が、データが途中で保存できなくなった場合、他の前記基地局装置に切り替えるよう前記無線端末に指示し、前記無線端末は、切り替え先の前記基地局装置にデータを保存させる構成を有している。
【００１４】
この構成により、適切に基地局間でデータの保存を分配することができる。
【発明の効果】
【００１５】
本発明は、携帯電話機などの無線端末のメモリ容量に影響を受けずにデータを保存でき、データの損傷をなくすことができるデータ管理システム、無線端末、および基地局装置を提供するものである。
【図面の簡単な説明】
【００１６】
【図１】本発明の実施形態に係るデータ管理システムの全体概略構成図である。
【図２】本発明の実施形態に係るデータ管理システムの動作について説明する図である。
【図３】本発明の実施形態に係るデータ管理システムで送受信される情報構成の図である。
【図４】本発明の実施の形態に係る無線端末の構成図である。
【図５】本発明の実施の形態に係る基地局装置の構成図である。
【図６】本発明の実施の形態に係る管理サーバの構成図である。
【発明を実施するための形態】
【００１７】
以下、本発明の実施の形態について、図面を参照して説明する。図１は、本発明の実施形態に係るデータ管理システムの全体概略構成図である。
【００１８】
図１に示すデータ管理システムは、基地局装置１０、管理サーバ２０、無線端末９、ＤＶＤやＣＤといった記録媒体に情報を書き込むための記憶媒体書込装置８、ネットワーク７、およびパソコン６を有している。基地局装置１０を区別して説明する場合には、基地局装置１０Ａ、基地局装置１０Ｂと記載する。図１では、基地局装置１０Ａ及び基地局装置１０Ｂの２つしか示していないが、２つに限定しているわけではない。また、無線通信においては、LTE、WiMAX、ＸＧＰなどでもよい。
【００１９】
基地局装置１０と管理サーバ２０は、専用線などで接続されており、管理サーバ２０とパソコン６は、インターネットなどの汎用的なネットワークで接続されている。無線端末９と基地局装置１０は、無線で通信するようになっている。
【００２０】
無線端末９は、例えば、カメラを実装した携帯電話機であり、撮像したときの動画データを基地局装置１０に送信する。また、無線端末９は、MPEG等の高データ圧縮機能を持つ。
【００２１】
無線端末９には、大容量のデータを記憶できるメモリを有していないものとする。基地局装置１０は、ある程度の大容量のデータを記憶できるメモリを有している。
【００２２】
図２は、本発明の実施形態に係るデータ管理システムの動作について説明する図である。ここでは、無線端末９が撮像したときの長時間の動画データを転送するときの様子について説明する。
【００２３】
まず、無線端末９が動画データを転送する際に、無線端末９は、データ保存サービス依頼という情報を基地局装置１０Ａに送信する（Ｓ０１）。データ保存サービス依頼の情報構成は、図３（Ａ）に示す通りである。データ保存サービス依頼は、ＩＰアドレスや携帯電話番号等の端末識別情報、基地局装置１０を識別するための基地局識別情報、データを引渡し際の引渡し情報によって構成されている。
【００２４】
引渡し情報は、パソコン６に渡すか、記憶媒体書込装置８で書き込んだ記録媒体を郵送で特定の住所に渡すかを示したものである。ここでの引渡し情報は、パソコン６に渡すものとしてパソコン６のアドレスが設定されている。なお、パソコン６に渡す場合のデータ保存サービス依頼は、図３（Ｂ）のようになり、送付先としてＩＰアドレスなどが設定され、そのアドレスにデータが送付される。郵送で特定の住所に渡す場合のデータ保存サービス依頼は、特定の住所にデータが届けられる。
【００２５】
次に、基地局装置１０Ａは、データ保存サービス依頼を管理サーバ２０に送信する（Ｓ０２）。ここで、管理サーバ２０は、無線端末９に対して提供するデータ保存サービスを許可できれば、許可通知という情報を基地局装置１０Ａに送信する（Ｓ０３）。データ保存サービスを許可できる場合は、例えば、空きのデータ領域が十分にある等の場合である。次に、基地局装置１０Ａは、保存開始ＯＫという情報を無線端末９に送信する（Ｓ０４）。
【００２６】
次に、無線端末９は、保存開始ＯＫを受けたとき、撮影時の動画データを基地局装置１０Ａに保存させるため、データ転送という情報を基地局装置１０Ａに送信する（Ｓ０５）。データ転送は、図３（Ｃ）のようになり、端末識別情報、撮影時の動画データの通番を表すデータ番号、実際のデータ（動画データ）によって構成される。データは、ここでは動画データとしているが動画データでなくとも、音声データやその他種々のデータであってもよい。
【００２７】
データ転送を受けた基地局装置１０Ａは、データ転送に設定されている情報を保存し、その保存が完了したとき、データ転送ＯＫという情報を無線端末９に送信する（Ｓ０６）。その後、撮影している間は、Ｓ０５およびＳ０６が繰り返される。
【００２８】
やがて、基地局装置１０Ａがデータ保存を許容できなくなった場合、または、無線端末９が移動してハンドオーバの契機が発生した場合など、データが途中で保存できなくなった場合、基地局装置１０Ａは、基地局装置１０の切り替え指示を無線端末９に送信する（Ｓ１０）。このとき、無線端末９は、他の基地局装置（ここでは基地局装置１０Ｂ）に切り替える。
【００２９】
基地局装置１０が切り替わると、無線端末９は、データ保存サービス依頼を基地局装置１０Ｂに送信する（Ｓ２１）。次に、基地局装置１０Ｂは、データ保存サービス依頼を管理サーバ２０に送信する（Ｓ２２）。ここで、管理サーバ２０は、データ保存サービス依頼の端末識別情報などから、Ｓ０２のデータ保存サービス依頼とＳ２２のデータ保存サービス依頼と関連付ける。
【００３０】
管理サーバ２０は、許可通知を基地局装置１０Ｂに送信する（Ｓ２３）。次に、基地局装置１０Ｂは、保存開始ＯＫを無線端末９に送信する（Ｓ２４）。
【００３１】
次に、無線端末９は、保存開始ＯＫを受けたとき、引き続き撮影時の動画データを基地局装置１０Ｂに保存させるため、データ転送を基地局装置１０Ｂに送信する（Ｓ２５）。データ転送を受けた基地局装置１０Ｂは、データ転送に設定されている情報を保存し、その保存が完了したとき、データ転送ＯＫを無線端末９に送信する（Ｓ２６）。その後、撮影している間は、Ｓ２５およびＳ２６が繰り返される。
【００３２】
次に、撮影が終わったとき、無線端末９は、データ転送終了という情報を基地局装置１０Ｂに送信する（Ｓ３１）。データ転送終了は、図３（Ｄ）のようになり、端末識別情報、データ番号、実際のデータ、終了を示す情報によって構成される。基地局装置１０Ｂは、図３（Ｅ）のようなデータ転送終了を管理サーバ２０に送信する（Ｓ３２）。
【００３３】
Ｓ３２で管理サーバ２０は、無線端末９のデータ転送が終了したことを認識でき、その後、基地局装置１０Ａおよび基地局装置１０Ｂに保存されているデータ転送に関する情報を収集する。
【００３４】
例えば、上記で説明したＳ２２のように、管理サーバ２０は、データ保存サービス依頼それぞれの関連付けから、データ転送に関する情報を基地局装置１０から収集し、収集した情報を編集して撮影時の電子ファイルを生成する。例えば、管理サーバ２０は、データ転送のデータ番号の順にデータを編集して撮影時の電子ファイルを生成する。管理サーバ２０は、電子ファイルを引渡し情報に従って引き渡す。なお、管理サーバ２０は、パソコン６からの要求に応じて引き渡すようにしてもよい。
【００３５】
なお、上記のＳ０５およびＳ０６が繰り返された後、特に、基地局装置１０の切り替えが無かったときには、無線端末９は、データ転送終了という情報を基地局装置１０Ａに送信するようにしてもよい。
【００３６】
（無線端末の構成）
次に、本発明の実施の形態に係る無線端末の構成について説明する。図４は、本発明の実施の形態に係る無線端末の構成図である。図４に示すように、無線端末９は、無線通信部９１、記憶部９２、制御部９３、および撮像部９４を含む。
【００３７】
無線通信部９１は、無線周波数の信号を処理するＲＦ回路等、ベースバンド信号処理部およびアンテナを含み、変調及び復調を行い、基地局装置１０との間で、無線信号の送信及び受信を行う。
【００３８】
記憶部９２は、例えばメモリによって構成され、無線端末における制御などに用いられる各種情報を記憶する。
【００３９】
撮像部９４は、撮像して得られた動画の信号を動画データに変換し、変換した動画データをMPEG等で圧縮する。
【００４０】
制御部９３は、例えばＣＰＵによって構成され、無線端末が具備する各種機能を制御する。制御部９３は、情報処理部９５およびデータ転送部９６によって構成されている。例えば、情報処理部９５およびデータ転送部９６は、制御部９３で実行されるプログラムのモジュールである。また、このような部材は電子回路などでもよい。
【００４１】
情報処理部９５は、図２で説明したＳ０１、Ｓ０４、Ｓ１０、Ｓ２１、Ｓ２４、Ｓ３１で扱う情報を処理する。例えば、情報処理部９５は、データ保存サービス依頼を基地局装置１０に送信し、データ保存サービス依頼に応じた保存開始ＯＫを受信する。また、情報処理部９５は、Ｓ１０の切り替え指示に応じて他の基地局装置１０に切り替える。また、情報処理部９５は、撮影が終わったとき、データ転送終了を基地局装置１０に送信する。
【００４２】
データ転送部９６は、図２で説明したＳ０５、Ｓ０６、Ｓ２５、Ｓ２６で扱う情報を処理する。例えば、データ転送部９６は、情報処理部１５が保存開始ＯＫを受信したとき、撮像部９４で得られた動画データを設定したデータ転送を基地局装置１０に送信する。また、データ転送部９６は、データ転送ＯＫを受信したとき、データ転送を基地局装置１０に送信する。なお、データ転送のデータは、動画データには限らず、種々のデータでもよい。
【００４３】
（基地局装置の構成）
次に、本発明の実施の形態に係る基地局装置の構成について説明する。図５は、本発明の実施の形態に係る基地局装置の構成図である。図５に示すように、基地局装置１０は、無線通信部１１、記憶部１２、制御部１３、およびネットワークインタフェース１４を含む。
【００４４】
無線通信部１１は、無線周波数の信号を処理するＲＦ回路、ベースバンド信号処理部等、およびアンテナを含み、変調及び復調を行い、無線端末９との間で、無線信号の送信及び受信を行う。
【００４５】
記憶部１２は、例えばメモリによって構成され、基地局装置における制御などに用いられる各種情報を記憶する。
【００４６】
制御部１３は、例えばＣＰＵによって構成され、無線端末が具備する各種機能を制御する。制御部１３は、情報処理部１５およびデータ保存部１６によって構成されている。例えば、情報処理部１５およびデータ保存部１６は、制御部１３で実行されるプログラムのモジュールである。また、このような部材は電子回路などでもよい。
【００４７】
ネットワークインタフェース１４は、インターネット、専用線、または電話網との通信を行うものである。また、ネットワークインタフェース１４は、基地局装置１０や広域基地局装置、または通信端末との通信することが可能である。
【００４８】
情報処理部１５は、図２で説明したＳ０１、Ｓ０２、Ｓ０３、Ｓ０４、Ｓ１０、Ｓ２１、Ｓ２２、Ｓ２３、Ｓ２４、Ｓ３１、Ｓ３２で扱う情報を処理する。例えば、情報処理部１５は、無線端末９から送信されたデータ保存サービス依頼を受信し、さらに、管理サーバ２０に送信する。また、情報処理部１５は、許可通知を受信したとき、保存開始ＯＫとして無線端末９に送信する。
【００４９】
また、情報処理部１５は、ハンドオーバ契機が発生した場合、または、データを大量に保存したため、容量オーバが発生した場合など、Ｓ１０の切り替え指示を無線端末９に送信する。また、情報処理部１５は、無線端末９から送信されたデータ転送終了を受信し、さらに、管理サーバ２０に送信する。
【００５０】
データ保存部１６は、図２で説明したＳ０５、Ｓ０６、Ｓ２５、Ｓ２６で扱う情報を処理する。例えば、データ保存部１６は、無線端末９から送信されたデータ転送を受信したとき、データ転送に設定されている動画データなどを記憶部１２に保存し、保存後にデータ転送ＯＫを送信する。また、データ保存部１６は、ネットワークインタフェース１４を介して管理サーバ２０からデータ取得の依頼があった場合、記憶部１２に保存されている動画データなどを管理サーバ２０に送信し、送信したデータを記憶部１２から消去する。
【００５１】
（管理サーバの構成）
次に、本発明の実施の形態に係る管理サーバの構成について説明する。図６は、本発明の実施の形態に係る管理サーバの構成図である。図６に示すように、管理サーバ２０は、ネットワークインタフェース２１、記憶部２２、および制御部２３を含む。
【００５２】
ネットワークインタフェース２１は、インターネット、専用線、または電話網との通信を行うものである。また、ネットワークインタフェース２１は、基地局装置１０や広域基地局装置、または通信端末との通信することが可能である。
【００５３】
記憶部２２は、例えばメモリによって構成され、管理サーバにおける制御などに用いられる各種情報を記憶する。
【００５４】
制御部２３は、例えばＣＰＵによって構成され、管理サーバが具備する各種機能を制御する。制御部２３は、情報処理部２４およびデータ収集部２５によって構成されている。例えば、情報処理部２４およびデータ収集部２５は、制御部２３で実行されるプログラムのモジュールである。また、このような部材は電子回路などでもよい。
【００５５】
情報処理部２４は、図２で説明したＳ０２、Ｓ０３、Ｓ２２、Ｓ２３、Ｓ３２で扱う情報を処理する。例えば、情報処理部２４は、基地局装置１０から送信されたデータ保存サービス依頼を受信し、データ保存サービスを許可できる場合には許可通知を基地局装置１０に送信する。また、データ転送終了が通知されていない場合に、データ保存サービス依頼が繰り返しが受信された場合、以前受信されたデータ保存サービス依頼と現在受信されたデータ保存サービス依頼とを関連付ける。
【００５６】
データ収集部２５は、情報処理部２４がデータ転送終了を受信したとき、データ保存サービス依頼に基づいて（データ保存サービス依頼それぞれの関連付けから）、データ転送に関する情報を基地局装置１０から収集し、収集した情報を編集して電子ファイルを生成する。例えば、管理サーバ２０は、データ転送のデータ番号の順にデータを編集して電子ファイルを生成する。管理サーバ２０は、電子ファイルを引渡し情報に従って引き渡す。データ収集部２５は、引渡し情報が郵送の場合には、記憶媒体書込装置８で記録媒体に収集した情報を書き込む。
【００５７】
以上説明したように、本発明の実施の形態に係るデータ管理システムは、無線端末９のメモリの空き容量がなく撮影自体できない場合などで、無線端末９にある写真や動画の撮影したデータを逐次基地局装置に送信して保存し、別途管理サーバ２０を介して指定先に転送するため、データで万杯になったメモリカードの交換などわずらわしさを解消することができる。また、無線端末９でメモリの空き容量を作るためにデータの移動を行なうことや、無線端末９内でせっかく撮影したデータの廃棄を防止することができる。
【００５８】
また、基地局間でデータの保存を分配する機能をもつことで、１基地局あたりが保有するメモリ容量の負担を低減することが可能である。また、ホームビデオカメラを使用せずに、無線端末９（携帯端末）によりそのメモリ容量を超えた長い時間の動画保存が可能となる。
【符号の説明】
【００５９】
６  パソコン
７  ネットワーク
８  記憶媒体書込装置
９  無線端末
１０  基地局装置
１１  無線通信部
１２  記憶部
１３  制御部
１４  ネットワークインタフェース
１５  情報処理部
１６  データ保存部
２０  管理サーバ
２１  ネットワークインタフェース
２２  記憶部
２３  制御部
２４  情報処理部
２５  データ収集部
９１  無線通信部
９２  記憶部
９３  制御部
９４  撮像部
９５  情報処理部
９６  データ転送部
【図１】
2011090360.tif 000003
【図２】
2011090360.tif 000004
【図３】
2011090360.tif 000005
【図４】
2011090360.tif 000006
【図５】
2011090360.tif 000007
【図６】
2011090360.tif 000008